(57)【特許請求の範囲】
【請求項１】
（ａ）血液サンプルのアリコートに蛍光標識された抗体を添加し、抗体とサンプルをインキュベートし、抗体が結合パートナーである表面抗原に結合するのに十分な時間混和する、
（ｂ）白血球（ＷＢＣ）細胞膜への傷害を最小限に抑えながらも赤血球（ＲＢＣ）を溶解するＲＢＣ溶解成分と、有核赤血球（ＮＲＢＣ）および損傷ＷＢＣの細胞核を染色する生体核染料成分を含む試薬系をさらに血液サンプルのアリコートと混和する、
（ｃ）混和したアリコートを、実質的に一時に一細胞ずつ、光学的に励起されている領域を通過させる、
（ｄ）パラメーターとして蛍光（ＦＬ）並びに第一および第二レンジ散乱角度の両方における散乱光のそれぞれについて少なくとも一つのシグナルを得る、
（ｅ）検定されるシグナルは第二散乱シグナル閾値よりも大きく、同時に該シグナルは第一散乱シグナル閾値あるいはＦＬ閾値のいずれかよりも大きくなければならず、ここで閾値は得られたシグナル中の見かけのＦＬノイズシグナルを除き、ＮＲＢＣ群シグナルは含むように設定されているロジックにシグナルを適合させることにより、得られたシグナルを検定する、
（ｆ）得られ、検定されたシグナルからのＦＬおよび散乱光から強度シグナルの三次元プロットを構築する、及び
（ｇ）構築した三次元プロットおよび検定されたシグナルから得られるＷＢＣサブクラスの分類（ＷＢＣ／Ｄｉｆｆ）により、ＷＢＣ、ＮＲＢＣ及び損傷ＷＢＣを分類し、および各クラスおよびサブクラスの細胞数を測定し、該ＷＢＣ／Ｄｉｆｆを分類する前に、測定されたＷＢＣ数から測定されたＮＲＢＣ数を差し引く、
ことを含むフローサイトメトリーによるサンプル中のＮＲＢＣ，損傷ＷＢＣおよびＷＢＣを分類する方法。
【請求項２】
核染料をヨウ化プロピジウム（ＰＩ）、エチジウムブロマイド（ＥＢｒ）、エチジウムホモダイマー−１（ＥｔｈＤ−１），エチジウムホモダイマー−２（ＥｔｈＤ−２）およびジエチレントリアミン（ＤＴＡ）から成る群より選択する請求項１の方法。
【発明の詳細な説明】
発明の背景
本発明は、損傷白血球（WBC）、有核赤血球（NRBC）および白血球のサブポピュレーション（WBC/Diff）の同時および定量分析の方法に関する。より詳細には、本発明は、多次元光散乱、蛍光分析および白血球細胞膜を傷害することなく赤血球（RBC）を溶解するすることができる溶解試薬を用いることにより、全血サンプル中のWBC、NRBC、損傷WBC、およびWBCサブクラスの分類（WBC/Diff）に関する。
NRBC数は従来血液塗沫形態法により測定する。染色した血液塗沫は顕微鏡下で検査され、NRBCは人によって計数される。一般的には、NRBCの濃度は、白血球（“WBC”）100に対するNRBC数で報告される。標準的には、患者血液塗沫上の同一範囲内に存在する200個のWBCとNRBCを計数し、100個のWBCあたりのNRBC数としてNRBC濃度を表わすために、測定数を2で割る。このタイプの人による顕微鏡を用いた測定方法の大きな問題点は、この方法が非常に骨の折れる集約的で、時間がかかり、しかも統計性に乏しいため主観的で不正確なことである。そのため、長年、正確で自動的なNRBC測定法が、病理医および実験技術者に求められてきた。
臨床用フローサイトメーターで用いるためにNRBC分類法を自動化するにあたり大きな問題点は、NRBCがまれなイベントであり、一方RBC数が非常に多いため、細胞の電気抵抗性の差（インピーダンス測定）あるいは光散乱特性（光学測定）のいずれによっても、赤血球（“RBC”）集団中のNRBC群は容易には検出できないことである。RBC集団の代わりに、WBC群中のNRBC数を測定するような多くの試みがなされたが、これらの努力は一般には成功していない。
フローサイトメーターで利用されている通常の二次元空間区別法では、NRBCがWBC中で十分に境界が限定されたクラスターを形成しないため、NRBC群はWBC群から容易には識別されない。検出された信号を一般的に受け入れられている二次元光散乱（前方対側方）あるいは光散乱対吸収ドットプロットで調べる場合には、通常リンパ球群からNRBC群を識別することができない。NRBC群の大半による信号は通常RBCストロマおよび血小板（“PLT”）の信号と混ざり、さらにNRBCクラスターの上限はしばしばリンパ球群によって占められている領域にまではりだす。
自動化臨床用血液学器機、例えばテクニコンH*1▲Ｒ▼，コールターSTK▲Ｒ▼Sおよびアボット  セル-ダイン▲Ｒ▼ 3000および3500器機は、サンプルドットプロットがリンパ球クラスターの下方において、ノイズシグナルが増加したことを示す場合には、NRBCの可能性のある存在に対して、サンプルに“フラッグ”するのみである。上昇したノイズレベルがPLTクランプ、巨大血小板あるいは不完全に溶解されたRBCによるものであり得ることから、本タイプのフラッグは頻繁に偽陽性の結果を生む。さらに、その干渉によりNRBCを含むサンプルの正確な総WBC数およびWBC分類（“WBC/Diff”）を得ることは非常に困難である。さらに、フラッグされたサンプルの血液塗沫は、正確なWBC分類およびNRBC数を得るために、熟練した技術者が試験し、顕微鏡下で計測しなければならない。これは非常に骨のおれる集約的な、主観的な工程である。
これらの困難性にもかかわらず、自然細胞死を示している細胞群、あるいは細胞毒性のある薬剤あるいは抗癌剤などによって傷害されている細胞を正確に特徴付けるためには、サンプル中の無損傷細胞に占める傷害をうけた細胞を同定し、計測することが重要である。生存不可能な細胞は抗体やその他の細胞マーカーと非特異的に結合し、従って、血液学解析によるのと同様に、免疫表現型分類によっても同定、計数すべきである。
生体内では、二種類の異なった細胞死の形態、アポトーシスとネクローシスがある。アポトーシス（本用語はKerrらによって導入された）は、遺伝子によりプログラムされた細胞死であり、変態、胚形成および形態形成中に起きる。好中球は炎症反応中にアポトシスに陥り、リンパ球は免疫系の制御においてアポトーシスに陥る。化学療法で用いる細胞毒性のある傷害物質を含む様々な薬物による細胞傷害が基となってアポトーシスが起る。アポトーシスは前癌状態あるいは癌化した組織中においても示される。アポトーシスの過程において細胞膜は完全な状態のままで、細胞は壊れてアポトーシス小体になり貧食される。一方、ネクローシスあるいは不測の細胞死は、身体的損害、低酸素症、高熱、飢餓、補体による攻撃および化学的傷害などの、有害な傷害に応答して起きる。これらの細胞は細胞外物質を選択的に浸透させる、あるいは漏出させることができなくなり、最終的に原形質膜を失う。原形質膜が本来の状態でなくなった細胞は、正常時には無損傷細胞膜を透過しないような染料などの外部の化合物に対して透過性を有するようになり、“生存不可能”あるいは傷害されたとみなされる。原形質膜が本来の状態でなくなった損傷細胞は代謝的にも機能しない。
血液サンプルが老化する、あるいは、フローサイトメトリー解析に先立って行う細胞を傷害するような細胞調製処理において同様な現象、細胞死が生体外で起る。最近の細胞の調製処理では、モノクローナル抗体（Mab）での標識、赤血球（RBC）の溶解およびさらに破壊されることを防ぐための白血球（WBC）の固定などの長い工程に細胞をさらす。
90°および前方光散乱技術の組み合せが当業界において、無損傷細胞から損傷細胞を区別するために使用されている。しかし、光散乱のみでは、損傷細胞あるいは生存不可能な細胞を生存可能な、あるいは無損傷細胞から明確に分離し、計数するほどは感度が高くないことが知られている。この事は、たとえば血液サンプルなどのようにサンプルが異なった細胞群を含んでいる場合特に該当する。多角光散乱に加え、蛍光核酸染色試薬を用いることで、死細胞の検出感度が劇的に向上する。最近では、サンプル中の細胞が無損傷であるか傷害を受けているかを確認するために光散乱と蛍光技術を用いた様々な方法がある。この技術によって生存可能な、無損傷細胞はフルオレセインジアセテート（FDA）やヨウ化プロピジウム（PI）を用いて、死細胞と識別することができる。これらの方法において、サンプルはFDAあるいはPIのいずれかと処理する。FDAで染色される細胞は生存可能な細胞であると認識され、PIで染色される細胞は“死んでいる”と認識される。しかし、固定した細胞は自家蛍光を発するため、細胞を固定することができず、これらの方法は制限される。さらに、細胞内のエステラーゼによるFDAの加水分解産物であるフルオレセインは非常に明るいため、FITCやフィコエリスリン（PE）などのその他の染色試薬の免疫蛍光シグナルを埋没させてしまう。
米国特許第4,661,913および4,284,412号明細書においてフローサイトメーターでの光散乱分析によるWBCサブポピュレーション分類法が記述されている。米国特許第4,520,110号明細書において光散乱および蛍光を組み合わせて使用する免疫表現型分類による異種白血球群分類法が記述されている。上記の明細書はともに人によるサンプルの調製、および今日の高速多パラメーター血液学分析器に組み込むには時間が長過ぎるインキュベーションが必要な方法について記述している。さらに、これら参考文献は無損傷細胞から損傷細胞を識別する方法を明らかには教示していない。
Valetによる米国特許第4,751、188号明細書は、細胞成分を染料で染色することができ、これは例えばフローサイトメーターで細胞容積と同時に、測定できるとの原理に基づいた方法を記述している。この特許によれば、数分以内に無損傷な血球の計数が可能である。この方法において、血液サンプルは、緩衝化された等張生理的食塩水でサンプルを１：250に希釈する；予め濃度が決められている蛍光RNA／DNA染色試薬、蛍光膜電位感受性染色試薬、蛍光性単分散校正粒子および染色試薬が溶解している有機性溶媒から成る保存溶液の5μｌを加える；および混和物を室温で３から５分間保温するステップから成る手順で人により調製される。染料はDMSOやDMFのような有機溶媒中に貯蔵溶液として保存し、細胞を染色するためにこれら貯蔵染料溶液を、ほんの微量のみ細胞懸濁液に直接加える。調製された細胞懸濁液は測定のために、フローサイトメーターのフローセルを通って吸入される。この方法において、DNA／RNA染色試薬が用いられる。このDNA／RNA染色試薬はアクリジンオレンジ（AO）、キナクリン（QA）あるいはピロニンＹ（PY）のいずれかであり、膜感受性染色試薬は3,3-ジヘキシル-オキサカルボシアニン（DiOC6）である。さらに細胞蛋白質染色試薬；脂質染色試薬；酵素染色試薬；細胞内pH染色試薬およびＳＨ基染色試薬の群から選択した少なくとも一つの染色試薬を使用する。この発明において記述されているように、Valetの方法論は１）有機溶媒に溶解されている染料を、極少量人の手により添加するステップを必要とすることから完全に自動化できず、２）血液細胞計数を完了するのに必要な総時間として、比較的に長時間を要し、３）血液細胞の特性を明らかにするために、少なくとも2種類の染料を必要とするが、このことはクエンチングの問題を生む、４）血液サンプルを250倍希釈する必要があることから、計数時間をより長くしないかぎり統計学的に満足な結果を得るために十分なWBCが提供されない、５）単球、好酸球および好塩基球の分離が可能であると明示していないことは、Valetの教示では不完全なWBC分類結果のみが得られることを示唆している（ただ二つのWBCサブポピュレーション、顆粒球およびリンパ球が図および実施例に示されている）。
Terstappenによる米国特許第5,057,413号明細書は、無損傷および損傷細胞を区別するフローサイトメーターを用いた方法を開示している。この方法においてサンプル中の無損傷および損傷細胞はともに染色される。Terstappenの教示は染色された無損傷細胞と損傷細胞の蛍光強度には十分な違いがあるとの原理に基いている。更に述べられている本開示の目的は、細胞抗原、無損傷細胞および損傷細胞を同時に同定するために、FITCあるいはPEで蛍光標識したモノクローナル抗体と組み合わせた技術による分類法の使用である。ここで、各蛍光標識のピーク発光スペクトルはたがい同士並びに、核酸染料とも異なっていなければならない。この方法において、RBCを塩化アンモニウムで３から5分間溶解し、200ｇで5分間遠心分離する。沈渣をRPMI 1640培地で二回洗浄し、毎回、200gで5分間遠心分離する。その後、1％牛血清アルブミン（BSA）を含んだリン酸緩衝生理的食塩水（PBS）に細胞を再懸濁させる。サンプルにモノクローナル抗体を添加させる場合には、氷上で20間インキュベートし、細胞をPBS溶液で二回洗浄し、1％パラホルムアルデヒドを含んだ1mlのPBSに再懸濁する。LDS−751の貯蔵溶液は、メタノール中に作製し、作用溶液は貯蔵溶液をPBSに希釈して調製する。本作用溶液の10μｌを調製した細胞懸濁液に添加する。他の実験では、RBCを塩化アンモニウムで溶解した後、細胞の最適な光散乱特性が得られるように、分析前に未固定のWBCをRPMI溶液に再懸濁し、１時間放置した。
Terstappenの方法は、固定の過程で温度、固定剤の濃度および固定時間などの変数が細胞膜の透過性を変化させ、その結果、染色強度を変化させ得ることにおいていくつかの問題がある。同じ一群の全ての細胞のDNA含有量は等しい（増殖中の高倍数体腫瘍細胞あるいはリンパ腫細胞を除く）ことから、強く固定された最初は無損傷であった細胞は、強く固定された損傷細胞と同じ染色強度を有する。更に、細胞死の後段階でDNAの断片化が起きた場合には、損傷細胞は少ないDNAを含有し、染色強度は低下する。Terstappenの方法はまた、時間がかかり扱いにくいことから、もし今日の全自動血液学器機に組み込むことが可能でなければ実施は困難である。この特許に報告されている結果は損傷細胞の大部分が、必要な長く、苛むようなサンプル調製過程において発生していることをも示している。
最近、NRBCの検出に関しInamiらの米国特許第5,298,426号明細書が、1994年3月29日に刊行された。本発明は特異的核染色試薬によるWBCおよびNRBCの染色から成る2−段階の方法を教示している。この発明の方法では、血液サンプルを始めに蛍光核染料を含む酸性低張溶液と混和する。その後、pHおよび浸透圧を調節するためにアルカリ塩緩衝液を含んだ溶液をサンプル／最初の試薬溶液と混和する。この最終的な溶液をフローサイトメーターに装填し、その他の有核細胞とともにNRBCを検出、計数する。
Inamiらのアプローチが特に自動化可能な方法において受け入れられないいくつかの理由がある。第一に、酸性−低張溶液は全ての細胞膜を傷害し、WBCに漏孔をあけ、このことにより核染色試薬によるNRBC核の選択的な染色が不可能となる。核物質（DNA）が共通であることから、WBC核を染色せず、NRBC核のみを染色する染料は知られていない。Inamiらによって特許請求されている核染料は一般に用いられる核酸染色試薬、ヨウ化プロピジウムである。
更に、Inamiらの方法は、NRBC核の蛍光シグナルをハウエルジョリー小体、好塩基性斑点、溶解された網状赤血球および網状血小板からのRNA、および，WBCおよび巨核球断片からのDNAなどの他の核残存物の蛍光シグナルと分離あるいは識別することができない。第三に、Inamiらの方法は、準備されたサンプル／試薬溶液を器機に装填する前に、数種類の試薬を用いて、サンプルを“準備”するためにオフラインで予め処理することを必要とする。現在の技術における上記の問題点は本発明において解決されている。
よって、本発明の目的は全血サンプル中の無損傷なWBCから損傷WBCを識別する、およびWBC分類（WBC／Diff）、NRBC、損傷WBCを速く定量する正確な方法を提供することである。
本発明のその他の目的は全血サンプル中の無損傷なWBCから損傷WBCを識別する、およびWBC／Diff，NRBCおよび損傷WBCを高速で定量する全自動化可能な方法を提供することである。
さらに本発明のその他の目的は全血サンプル中の無損傷なWBCから損傷WBCを識別する、WBC／Diff，NRBCおよび損傷WBCを高速で定量する、および免疫表現型分類する全自動化された方法を提供することである。
発明の要約
全血サンプル中の有核赤血球（NBRC）、白血球（WBC），損傷あるいは生存不可能なWBCおよび白血球のサブポピュレーション（WBC／Diff）を同時に定量するフローサイトメーターを用いた分析方法を提供する。本法は、無損傷な細胞膜は透過しない（生体染色試薬）とともにWBCへの生体染色試薬の透過を最小化あるい除去した核酸染色試薬にNRBCの核および生存不可能な細胞の核を曝露させるために、全血サンプルのアリコートからのRBCおよびNRBC細胞質を破壊すること、染色したアリコートをフローサイトメトリーを用いた光測定にかけること、パラメーターとして第一および第二レンジの散乱角の散乱光および蛍光（FL）を含む少なくとも一つのシグナルを得ること、検定されたシグナルは第二の散乱光シグナル閾値よりも大きく、同時に第一散乱シグナルの閾値あるいはＦＬの閾値｛［（第一散乱角シグナルあるいはＦＬシグナル）および第二散乱角シグナル］｝のいずれかよりも大きくなくてはならないとの組合わせ論理による得られたシグナルの検定、検出されたシグナルより検定された蛍光および散乱光の強度シグナルの三次元プロット構築、構築された三次元プロットからの、NRBCとWBCあるいは損傷WBCの区別、およびそれぞれの細胞数の測定から成る。
本発明の他の具体例では、全血サンプル中のNRBC、WBC、WBC／Diffおよび生存不可能な細胞を同時にかつ定量的に分析するための装置を提供する。装置はパラメーターとして第一および第二レンジの散乱角の散乱光および蛍光（FLあるいはFl）を含む少なくとも一つのシグナルを得るためのフローサイトメーターおよび、検定されたシグナルは第二散乱光シグナル閾値よりも大きく、同時に第一散乱シグナルの閾値あるいはＦＬの閾値のどちらかよりも大きくなくてはならない｛［（第一散乱角シグナルあるいは（OR）ＦＬシグナル）および（AND）第二散乱角シグナル］｝とのアンド／オアAND／OR論理によってデジタル化するために、フローサイトメーターによって得られたシグナルを検定する三重トリガー回路から構成される。
本発明のその他の具体例には、全血サンプル中のNRBC、WBCおよびWBC／Diffを同時にかつ定量的に解析する方法が提供されている。本方法は血液サンプルのアリコートから、赤血球（“RBC”）を除き、またNRBCの核を露出させるためにNRBCの細胞質を除くこと、生存可能なWBCの染色は最小限としながらの、NRBCの核および生存不可能なWBCの染色、アリコートをフローサイトメトリーを用いた光測定法にかけること、パラメーターとして約０°から約１°での散乱光減衰（ALL）、約３°から１０°の散乱光（IAS）および蛍光（F1）含む少なくとも一つのシグナルを得ること、論理が［（全（ALL）シグナル）あるいは（OR）（F1シグナル）および（AND）（3°〜10°の散乱シグナル）］から成るアンドオア論理を用いて得られたシグナルの検定、検出したシグナルから検定された蛍光および散乱光の強度シグナルによる三次元プロットの構築、構築された3次元プロットおよびそれぞれの細胞数の測定による、生存可能な細胞からの生存不可能な細胞の識別、NRBC、WBCおよびWBC／Diffの区別から成る。
本発明のその他の具体例では、全血サンプル中の生存不可能な細胞、NRBC、WBCおよびWBC／Diffの定量的分析のためにフローサイトリー装置が提供されている。本装置はパラメーターとして、約０°から約１°および約３°〜10°の散乱光および蛍光（F1）を含む、少なくとも一つのシグナルを得るためのフローサイトメーター、次の処理を行うようシグナルを確認するために、［（０°から約１°散乱シグナル）あるいは（OR）（F1シグナル）および（AND）（３°〜10°散乱シグナル）］から成るアンドオア論理によってフローサイトメーターから得られたシグナルがデジタル化に適しているかを検定する三重トリガー回路から成る。
本発明のこれら、およびその他の特徴、優位性をその好ましい具体例についての以下の記述において明示する。
【図面の簡単な説明】
図１は本発明の方法を実行するうえで採用される臨床用フローサイトメーターの光学系の概略的な図である。
図２は“確認的”三重トリガー回路を描写した概略図である。
図３A、３Bおよび３Cは、標準あるいは規格通りの検出トリガーを用いた、実施例１で記述したように処理した全血サンプルのWBC、NRBC、赤血球ストロマおよびその他背景ノイズの分布図である。
図4A、4Bおよび4Cは、０°から約１°の散乱軸方向光損失（ALL）トリガーのみを用いた、実施例１で記述したように処理した全血サンプルのWBC、NRBC、赤血球ストロマおよびその他の背景ノイズの分布図である。
図5A、5Bおよび5Cは、3°から約１０°の中間角散乱（IAS）トリガーのみを用いた、実施例１で記述したように処理した全血サンプルのWBC、NRBC、赤血球ストロマおよびその他の背景ノイズの分布図である。
図6A、6Bおよび6Cは、蛍光（FL3）トリガーのみを用いた、実施例１で記述したように処理した全血サンプルのWBC、NRBC、赤血球ストロマおよびその他の背景ノイズの分布図である。
図7A、7Bおよび7Cは、ノイズシグナルを除くために図６で用いられたトリガーのレベルよりも高いFL3のトリガーレベルを用いた、実施例１で記述したように処理した全血サンプルのWBC、NRBC、赤血球ストロマおよびその他の背景ノイズ分布図である。
図8は、電子工学的にともに“ORされた”ALLおよびFL3の２つのトリガーを用いた、実施例１で記述したように処理した全血サンプルのWBC、NRBCおよびその他の背景ノイズ分布図である。
図9A，9Bおよび9Cは、FL3トリガーのレベルが図8の値よりも高く設定されている、ともに電子工学的に“ORされた”ALLおよびFL3の２つのトリガーを用いた、実施例１で記述したように処理した全血サンプル中のWBCおよびNRBCの分布図である。
図10A、10Bおよび10CはALL，IASおよびFL3に対するトリガーを用いた、実施例１で記述したように処理した全血サンプル中のWBCおよびNRBC分布図である。
図11Aから11Cは正常あるいは標準検出トリガーを用いた、実施例１で記述したように処理した正常な血液サンプルのドットプロットディスプレーを示している。
図12Aおよび12Bは、標準あるいは正常な検出トリガーを用いた、実施例2に記述したように処理したNRBCを含む異常な血液のサイトグラムを示す。
図13Aおよび13Bは、規格通りの検出トリガーを用いた、実施例3に記述したように処理したNRBCを含む異常な血液のサイトグラムを示す。
図14Aから図14Cは本発明の三重トリガー（ALL，FL3およびIAS）検出方法を利用した、WBC100個あたりNRBC56個を含む全血サンプルの分布を描写する。
図15Aおよび15Bは同様に本発明の三重トリガー（ALL，FL3およびIAS）検出方法を用いた、WBC100個あたりNRBC140個を含む他の全血サンプルの分布を描写する。
図16Aおよび16Bは、本発明の方法を用いて実施例６で記述したように調製および処理した線形性サンプルの結果を示す。
図17は本発明の方法を用いた自動血液学分析器によるNRBCの計測（縦座標）および人による顕微鏡でのNRBCの計測（横座標）との相関プロットである。データは実施例７に記述したように処理した。
図18Aから18Fは実施例８で記述した正常血サンプルのサイトグラムを示す。
図19Aから19Fは実施例９で記述したNRBCを含む（4.99ｋ／μｌあるいはWBC100個あたりNRBC46.6個）異常血液のサイトグラムを示す。
図20Aから20Fは実施例10で記述した損傷リンパ球を含むサンプルのサイトグラムを示す。
図21Aから21Fは実施例11で記述した冷却状態において35時間老化させた正常血のサイトグラムを示す。
図22Aから22Fは実施例12で記述した強く固定したヒトWBCおよび血小板をヒトRBCフラクションと混合し、ヒト血漿中に再懸濁して処理したサンプルのサイトグラムを示す。
図23Aから23Fは実施例13で記述したように処理した血液サンプルの市販されているフローサイトメーターのディスプレーである。
図24Aから24Fは実施例14で記述したように処理した血液サンプルの市販されているフローサイトメーターのディスプレーである。
発明の詳細な説明
広くは、本発明は全血サンプル中のWBC分類（Diff），NRBCおよび細胞生存率を同時に分析する自動化方法に関する。
本発明の一つの側面は、測定法が溶解試薬／染料系を利用していることであり、この方法はWBCの細胞膜、好ましくはWBC表面抗原の傷害を最小限に抑えながらもRBCおよびNRBCの細胞質を溶解し、さらに無損傷細胞の膜には浸透しない（生体染色試薬）核酸染料により、露出されたNRBCの核およびあらゆる損傷WBCの核を染色する。無損傷WBC核は排除によって染色されない。
開示された方法はまた、WBC／Diff分析を行う前に総WBCシグナルからNRBCと同定されるシグナルを差し引くことによって、NRBCを含む血液サンプル中の正確なWBC／Diff分析を行えるようにする。NRBCおよび損傷WBCの染色には一種類の染料のみが必要である。これにより、WBCサブクラスの光散乱特性の差によるWBC／Diff分析が可能になる。FL3＋シグナルによって傷害されていると同定されたWBCサブクラスは、それらが属するサブクラスに戻して加えられ、このことにより、損傷WBCを含んだサンプル中の正確なWBC／Diffの結果が得られる。
開示された系において、WBC／Diff、NRBCおよび損傷WBCを１ステップで同時に分析するために、生体染色試薬を、約10から20ｍＭ緩衝液、非四級アンモニウム塩、界面活性剤および、ごく低濃度のWBC固定剤を含む、pH約6.0から7.5、浸透圧モル濃度が約230から310mOsm／Lの多目的試薬系と組み合わせる。
本発明で用いることができる生体核酸染色試薬は無損傷細胞の膜に浸透せず、これらが核酸と結合していない場合には、比較的高い吸光率と低蛍光強度を有する。生体染料のスペクトル特性［吸光（EX）最大値（nm）／放射（EM）最大値（nm）］は、本システムで用いられるレーザー光源と両立でき、それらの放射スペクトルは免疫表現型分類において用いるMabと結合させたフルオロクロムの放射スペクトルとオーバーラップしてはならない。
本開示システムへの生体染料には以下の特性が望まれる；
高吸光率；
高量子発生；
核酸への高結合親和性；
核酸に結合していない時の低蛍光；および
スペクトル特性が、検出システムで使用される光源と両立できなければならない。例えばアルゴンレーザー光源に対しては、EX最大値は488nm近辺、EM最大値は630ｎｍ近辺である。
これは、開示された方法での使用に、EX最大値のレンジが488近辺の生体染料を限定するものではない。HeNe，キセノンあるは水銀灯などの適当な光源によってこれらの染料を異なったEX最大値で励起させ得るは当業者においてよく知られている。
開示された系において、適当な光源と使用するのに適した多くの核染料がある。開示されている系において使用が可能な市販されている染料には7-アミノアクチノマイシンＤ、YOYO−１、YOYO−３、TOTO−１、TOTO−３、BO−PRO−１、YO−PRO−１、TO−PRO−１その他多くのものがある。
本発明の好ましい具体例の中で、アルゴンレーザーとともに使用できる市販されている適した染料は、ヨウ化プロピジウム（PI）、エチジウムブロマイド（Ebr）、エチジウムホモダイマー−１（EthD-1）、エチジウムホモダイマー−２（EthD-２）、ジエチレントリアミン（DTA）である。
本発明の好ましい具体例の中で、生体染料はPIであり、多目的試薬系は、塩化アンモニウム約5.0ｇ／L，重炭酸カリウム約２g／L、サポニン約100mgs／Lから約150mgs／Lおよびホルムアルデヒド約0.07％を含むpH約6.5から7.0、浸透圧モル濃度が約260の約15ｍＭの酢酸緩衝液、およびアンド／オア論理を用いてシグナルをデジタル化に適格化させる三重閾値シグナルルーチンを有する。このような試薬が本明細書で参照として取込まれているPCT出願第94/18828号“全血サンプルの急速溶解のための多目的試薬系”において開示、記述されている。しかし、試薬がWBCの細胞膜を傷害し、予め（溶解前）生存可能なWBCの核が染色されはじめたりしない限り、いずれの溶解試薬も使用することが可能である。
試薬／染料／サンプル混合物は本質的に一時に一細胞ずつ、照射された光学フローセルを通過させる。このことにより、細胞は照射光を散乱し、いずれの染色された核もが蛍光を示す。散乱光および蛍光シグナルを既知の方法および検出したシグナルの処理と連結した三重トリガー法を用いて検出し、これによりWBC、WBC／Diff，損傷WBCおよびNRBCの同定および定量が可能となる。1995年7月7日に出願され、ここで参照として取込まれている米国特許出願第08／283,379号“自動分析の実行の方法および器機”において、本発明の三重トリガー法と特に両立できることが知られている血液学分析器が開示、記述されている。以下の記述はこの血液学分析器に限定されている。この記述は単に便宜上のためであり、本発明は決してただ一つの器機に限定されるわけではない。
全血サンプルの一部、約25μlがサンプル吸入プローブによって約850μlの等張溶解試薬を含んだWBCカップの中に入れられる。溶解試薬は血液サンプルの赤血球フラクションを溶解するとともに、存在するいずれのNRBCの核をも露出するようにNRBCの細胞質を溶解する。血液の赤血球フラクションを溶解すると同時に、本試薬はWBCフラクションを保護する、あるいは傷害しないよう十分に作用の穏やかなものでなければならない。三重トリガー法においてたとえどのような溶解剤の調剤が使用されているとしても、末梢血中に存在するいかなるNRBCをも効果的に標識する程度の低濃度の生体染料をさらに試薬に含ませる、あるいは組み合せる。好ましくは、先に参照されている分析器とともに使用するため、溶解剤の化学的性質は屈折率がシース溶液と実質的に0.1％以下の差で一致するように適応させる。
溶解試薬およびサンプルの混和物は標準的には先に参照されたWBCカップの中に11秒間だけとどまる。そこで、42±3℃で溶解され混和される。この時点で、WBCカップの中身は検出のために、直接管の中を光学フローセル100に移動する。図１参照。
細胞がレーザー照射された容積を一列縦隊で通過するように、溶解液を加えて希釈し、希釈剤／シース溶液によって囲まれた層流のサンプル流中の細胞流がフローセル100を通過した時点で測定工程が開始される。照射された容積は、流体力学的に焦点をあわせられた細胞の流れにより、フロー軸の方向に垂直な二次元に、また、約17ミクロンのレーザー光線の水平な光線のくびれにより、フロー軸方向に平行な方向にはじかれる。本試験施行中に、サンプル流速は一秒あたり約2.5マイクロリッターであり、WBCおよびNRBCの対応している照射された検出容積は約80x5x17ミクロンの楕円柱の容積と近似している。17ミクロンの長さは、円柱の軸に沿って測定される。
この点においてまた図１で示したように、細胞の存在は軸方向光線損失（ALL）および中間角散乱（IAS）を検出する合成フォトダイオード102、赤色蛍光を検出する増倍型光電管104および図２に示す、ALL，IASおよびFL3（赤色蛍光）の三次元フィーチャー間隔の中の独特な三重トリガー回路によって検出される。三重トリガー回路はアンド／オア論理を用いてシグナルをデジタル化するために検定する。検定されたシグナルはIASトリガーよりも大きく、同時にALLトリガーあるいはFL3トリガーのいずれかよりも大きくなければならない。この独特なトリガー回路を、均衡がとれた固着剤を含む溶解特性と組み合せることにより、露出したNRBCおよび損傷WBCの核が急速に染色され、DNA断片、RBCストロマおよび血小板のような、蛍光性および非蛍光性バックグラウンドの一般的な干渉を受けることなく、はっきりと明確に計数され、WBC分類細胞計数から除かれる。
好ましくは、前方中間角散乱（IAS）および小角前方拡散（SAS）あるいは軸方向光損失（ALL；前方向減衰としても知られている）を測定するために、一つあるいはそれ以上の検出器を前方光路中に設置する。ALLは一般的に、細胞がレーザー光線の前を通過することによる光エネルギーの減衰であり、フォトダイオードによって検出される。光損失は一般に散乱によるものであり、光線中を細胞が通過することによる、レーザー光線の通路中に設置された検出器に到達する光エネルギーの減衰として検出される（一般にALLは約０°から約１°の角で検出される）。これに対して、小角前方拡散（SAS）は、入射レーザー光線の外部（しかし、約１°から３°の狭い角度内にある）の検出器に達した光エネルギーであり、これは光線中を通過している細胞からの散乱による。通常、光線を止めれば検出器にレーザー光線が到達するのを抑えられる。ALL検出システムは、レーザー照射の入射錘中の光を収集し、一方、小角前方拡散システムはこの錘の外部の光を収集する。ALL測定システムにおいて、問題とするシグナルは安定した状態のレーザーシグナルから除かれたマイナスシグナルであり、一方小角前方拡散測定では、ごく低いバックグラウンドの光レベルに付加されたわずかなプラスシグナルである。光が入射レーザー光線からより大きな角度で散乱される事を除いて、前方中間角散乱（IAS）は、小角前方拡散と類似している。より本質的には、IASはレーザー光線の入射あるいは中心線から約3°から10°離れた輪の中の光散乱に関する。好ましい具体例では、ALLはレーザー軸から水平に約0.3°以下、垂直に1.2°以下の角度の中で収集され、IASはレーザー軸から約3°から10°の間の角度で収集される。
このようにトリガーされた細胞が前述の照射された容積を通過する際、検出器102、104、106および108においてパルスが発生する。これらパルスの振幅はフィルターにかけられ、増幅され、デジタル化され、ALL，IAS，FL3，PSS（偏光側方散乱）およびDSS（偏光解消側方散乱）の対応する5次元フィーチャー間隔中のリストモードに保存される。フローセル100を通過する標準的な計測時間は10秒である。先に記述した流速および希釈比率では、血液１μlあたり7000個の正常な患者WBC数では、得られるイベント計測速度は5000である。少計測数サンプルでは、測定値の統計を向上させるために、この計測時間は自動的に延長される。測定時間が終了すると、サンプル流は管を通って廃棄され、プローブが洗浄され、乾燥され、次のサンプルを分析するために準備される。
前記ALL，IAS，FL3，PSSおよびDSSの5次元フィーチャー間隔のリストモードデータに、アルゴリズムが応用され、以下のタイプの細胞が計数され、および／あるいは処理時間の30秒以内にフラッグされる。
0004279900.tif 000002
以下に記述するように、ALLおよびIASシグナルはWBC／Diff分析のために検出、収集され、染色されたNRBCの核からのFL3シグナルはNRBC分析のために収集される。図２に示す三重トリガー回路はアンド／オア論理を用いてこれらのシグナルをデジタル化するために検定する。検定させるためには、シグナルはIASトリガーよりも大きく、同時に、ALLトリガーあるいはFL3トリガーのいずれかよりも大きくなければならない。
図２において同定された、いくつかの成分および生成されたあるいは利用されたシグナルは、以下の標識に対応する：
300−ALL電圧コンパレーター
302−ALLシグナル
304−ALL閾値電圧（Vth1）
306−ALL電圧コンパレーター出力
310−FL3シグナル
312−FL3閾値電圧（Vth2）
314−FL3電圧コンパレーター
316−FL3電圧コンパレーター出力
318−IASシグナル
320−IAS閾値電圧（Vth3）
322−IAS電圧コンパレーター
324−IAS電圧コンパレーター出力
326−ORゲート
328−ORゲート出力
330−ANDゲート
332−確認（Valid）トリガー出力
それぞれのチャンネルからのリアルタイムシグナルは電圧コンパレーターの入力にある。電圧コンパレーター300、314および322は“＋入力”（302、310および318）を“−入力”（304、312および320）と比較することによって、結果として出力（306、316、324）が生ずるように機能する。もし、“＋入力”の電圧が“−入力”より高ければ、出力は高くなる。もし、“＋入力”の電圧が“−入力”よりも低ければ出力は低くなる。
閾値電圧はシステムパラメーターによって決められる独立した電圧である。
コンパレーター300および314の出力はORゲート326への入力であり、結果としてORゲート出力328を生じる。ORゲートはその入力を比較することで機能する。どちらか入力の一方あるいは両方が高ければ、出力も高くなる。
ORゲート328の出力およびコンパレーター322および324の出力はANDゲート330の入力である。ANDゲートはその入力を比較することで確認トリガー出力でもある出力332を生ずるよう機能する。両入力が高い場合のみ出力は高くなる。
IASシグナル318がその閾値電圧320より大きく、ALLシグナル302がその閾値電圧304より大きいあるいは／およびFL3シグナル310がその閾値電圧312より大きい場合のみ確認トリガー出力332は高くなる。
ALLおよびIASはWBC／Diff分析のため収集され蛍光（FL3）シグナルはNRBCおよび損傷WBC分析のため収集される。三重閾値回路あるいは検定ルーチンがアンド／オア論理を用いてシグナルをデジタル化のために検定する。この独特なルーチンあるいは回路によって検定されるためにはシグナルはIAS閾値よりも大きく、同時に、ALL閾値あるいはFL3閾値のいずれかよりも大きくなければならない。このトリガー回路を用いて、NRBCは前述の3次元間隔中において独特のクラスターを形成し、（図14および図15参照）、これは光学的WBC分類分析において容易に計数され、明確にWBC数から除かれる。例えば、WBC100個あたりのNRBC数および患者の血液１μlあたりの総NRBC数が報告される。結果的にNRBCは総WBC数から除かれ、血液サンプルにNRBCが存在しても正確なWBC数および分類分析が可能となる。ALLおよびFL3トリガーの両方の上に位置するシグナルは損傷WBCとして同定される。損傷WBCサブポピュレーションは無損傷なWBC分類分析と同様の方法で同定される。DNA断片、RBCストロマ、血小板、ハウエル−ジョリー小体、好塩基性斑点、溶解されたRBCのRNA、WBCおよび巨核球断片のDNAなどからの、蛍光性および非蛍光性バックグランドノイズは実質的に除かれる。染色されたNRBCの核は開示された三重トリガー処理（ALL，IASおよびFL3による）を介して様々なバックグランドノイズシグナルから分離され、ALL対FL3ドットプロットに関しFL3閾値の上にあるNRBCの核からのFL3＋シグナルのみがNRBCとして計数される。
図3から10において以下に列挙した番号で同定されている細胞群エリアは以下の細胞のタイプに対応する：
202＝リンパ球                   208＝オリジンノイズ
204＝単球                       210＝NRBC
206＝顆粒球                     212＝ストロマ
開示されたシステムのその他の技術的な優位性は、NRBCの細胞質が完全に溶解されることから、それらの核が染色試薬を受入れ易くなっており、有効かつ正確にNRBCを染色するためにより低濃度の染色試薬を必要とすることである。この条件ではNRBC検出において、100を超える高いシグナル対ノイズ（Ｓ／Ｎ）比率を得ることができる。このシステムにおいて、WBC／Diff／NRBC／損傷WBCを迅速に分析するために必要な生体染料の濃度はわずか１から２μg／mlであり、これは現在の技術において必要な濃度の少なくとも50分の１である。
開示された方法は、その他の細胞破壊物からの干渉なしに自動的に、正確かつ迅速にWBC／Diff／NRBC／損傷WBCの同時分析が可能である点において独特である。本発明の更なる優位性は、WBC、RBCおよび血小板計数用ルーチンにキャリブレートされている臨床用血液学分析器に本方法を組み入れることが可能である点において非常に高い医療価値を有することである。このシステムは正確な臨床血液サンプル中のWBC／Diff／NRBC／損傷WBCデータ（％および絶対数）を得ることができる。この事は現在まで可能ではなかった。
実施例１
EDTA−抗凝固処理した新鮮な正常血液を、先に記述した1995年7月7日に出願され、本明細書中に参考として引用されている米国特許出願第08/283,379号明細書“自動化分析実施のための方法と器機”において開示、記述されている自動化臨床血液学分析器の試験ユニットにて試験した。本発明が前記の分析器に組み入れられているが、以下の実施例すべてにおいて常に利用されるわけではない。25μlの血液サンプルが、本明細書中に参照として引用されている、PCT出願第94／18828号明細書“全血サンプルの高速溶解のための多目的試薬系”において開示されている等張多目的試薬（pH6.5，260mOsm／Ｌ）675μlとオンラインで混和された。
これらの実験のために多目的試薬系は約95ｍＭ塩化アンモニウム（5g／l）、容積で約0．075％のホルムアルデヒド、約10ｍＭから約20ｍＭの酢酸緩衝液、約10ｍＭの重炭酸カリウムおよび重量／容積で約0.01％（例えば、100mlあたりのg）のサポニンを含んで構成された。本試薬システムのｐＨは約6.2から約7.0の範囲に調整され、本試薬システムの浸透圧モル濃度は約215から約270mOsm／Lであった。
試薬は器機の加熱された混和チャンバー中で、予め42±３°に温められ、ここでサンプルおよび試薬が混和され、11秒間保温された。この混和物はWBC／Diff／NRBC分析を行うために、フローセルに移された（8.5秒かかる）。本システムの視覚的構成を図１に表示する。本分析は三重トリガー回路を用いることなく、当業界で一般的なALLおよびFL3のみの二重トリガーを用い実施した。図3Aから10Cまでのすべての図を参照のこと。
図11Aの上方のドットプロットはサンプルから得られた光散乱シグナル（ALL対IAS）を描写し、３つの異なったWBC群を示している。正常な血液は多くの好塩基球を含んでいないため、ここでは好塩基球のクラスターは認められない。好酸球はDSS対PSSドットプロット（図示さず）により分離されるため、ここでは好酸球のクラスターは示されておらず、図11Bの中段のサイトグラムは表示されているようにALLおよびFL3シグナルのドットプロットを示している。正常血液はNRBCを含んでいない。図11Bおよび11Cのより低い位置にあるFL3＋クラスターは明らかに、先に記述したRNAあるいはDNAを含んだ細胞破壊物である。
実施例２
それぞれ上段および下段にあるサイトグラム12Aおよび12Bは標準検出法を利用し実施例１において記述したように分析したNRBCを含んだ（WBC100あたりNRBC47）異常な血液のドットプロットディスプレーである。上のサイトグラム中においてリンパ球群の右下にあるクラスターはNRBCに属し、左角の底辺にある小さなクラスターはRBCストロマ（網状赤血球、ハウエルジョリー小体など）、血小板およびWBC破壊物を含むオリジンノイズに属する。図12Bはこのサンプルのオリジンノイズクラスターが、核染料によって明るく染色され、FL3チャンネルにおいて染色されたNRBCクラスターの非常に近傍につづいていることから、NRBCを正確に計数するようFL3トリガーを設定することは不可能であることを示している。
実施例3
図13Aおよび13Bのサイトグラムは標準検出法を利用し、実施例１で記述したように分析したNRBCを含む（WBC100あたりNRBC51）異常な血液のドットプロットディスプレーである。一番上のディスプレー、図13A中で、リンパ球群の右下のクラスターはNRBCに属する。本サンプルのFL3＋オリジンノイズが増加しているのが認められる。ノイズクラスターはFL3チャンネルにおいてNRBCクラスターの非常に近傍に位置する。このため、FL3のノイズはFL3トリガーの位置と干渉している。FL3トリガーをすべてのオリジンノイズを除去するほど高く設定した場合、同時にNRBC群の一部も図13Bに示すようにFL3トリガーの下で失われる。
実施例４
図２の本発明の開示された三重トリガー回路（ALL／IAS／FL３）を、実施例１から３で使用されたのと同じ器機に組み入れ、本手順を通して利用した。
WBC100個あたりNRBC56個を含む、EDTA抗凝固処理した臨床サンプルを実施例１に記述したように分析した。結果を図14Aから14Cに示す。FL3+ノイズクラスターが消失している。ノイズジグナルは加えられたIASトリガーにより遮断される。トリガーは全てのNRBC群を回収するほど低く設定されているが、この異常な血液からの蛍光性オリジンノイズはもはやFL3トリガーの上には認められない。（NRBCの環状形に注意。）
実施例５
図15Aおよび15Bは、同様に三重トリガー（ALL，FL3およびIAS）を実施した後の、WBC100個あたりNRBC140個を含む別の臨床全血サンプルのNRBC分布のドットプロットを示す。オリジンノイズは認められず、総NRBC群はFL3トリガー上に回収されている。このサンプル中でのNRBCの濃度が非常に高いため、NRBCクラスターの密度が高い。
実施例６
EDTA抗凝固処理した正常ヒト血液に様々な濃度の未固定ニワトリ赤血球を加えることにより直線性サンプルを作製した。サンプルは本発明の三次元検出法を利用して実施例１において記述したように分析した。ニワトリ赤血球の細胞質は、本発明の方法により溶解され裸の核（CEN）のみが残る。CENは希釈剤中の生体核染料（PI）で速やかに染色され、蛍光性（FL3）になる。FL3+CENは本発明の方法においてNRBCとして計数され、WBC100個あたりのNRBC数および全血サンプル１μlあたりの実数として報告される。結果を図16Aおよび16Bに表示する。図中のWBC100あたりのNRBC数およびNRBCの実数による直線性プロットは本発明の方法が直線的NRBC計数を生じることを示している。
実施例７
図17は本発明の方法によって得られた85臨床サンプルのNRBC数（縦座標）の相関プロットを示す。結果は参照したヒトによる顕微鏡での測定数（横座標）と相関した。ヒトによるNRBC計測には、ライトギムザ染色された各患者の血液塗沫において200個のWBC分類を行い、同じ範囲内に存在するNRBC数を二で割り、WBC100個あたりのNRBC数を報告した。相関係数（R）は0.973（R2＝0.946）、勾配は0.86、Ｙ切片は1.32であった。
実施例８
1995年7月7日に出願された米国特許出願第08／283、379号明細書“自動分析実施の方法および器機”において開示、記述されている血液学分析器の加熱したボルテックスミキサーの中に、血液サンプルの25μlを入れて、実施例１の多目的試薬（pH7.0，260mOsm／L）675μlと混和し、オンラインで42℃で11秒間保温した。本混和物はその後自動的にフローセルに移送され分析された（WBC分類、NRBC分析におよそ8.5秒）。図18Aから18Fは血液のサイトグラムである。最上段左の光散乱シグナル（ALL対IAS）のサイトグラム、図18A、はWBCの3つの異なった群（好中球、単球およびリンパ球）を示す。正常な血液は約１％かそれ以下の好中球しか含有しないためここでは好中球クラスターは認められない。好酸球は最上段右のDSS対PSSサイトグラム、図18Bにおいて分離されている。中段左のサイトグラム、図18CはALL対FL3のシグナルディスプレーである。正常血液はNRBCを含ず、図18Cの垂直線の右（FL3＋シグナル）には損傷細胞がほとんどない。
実施例９
NRBCを含む異常血液（4.99ｋ／μlあるいはWBC100個あたりNRBC46.6個）を実施例８で記述したように分析し結果を図19Aから19Fに示す。最上段左のサイトグラム（ALL対IAS）中のリンパ球群の右下に位置するクラスターはNRBCに属する。最下段右のサイトグラム（ALL対FL3＋），図19Fは、裸にされたNRBC核が鮮明に染色され、FL3＋トリガーの上に引きあげられ計数されていることを示す。NRBC数はWBC分類分析の前に、このようにして総WBC数から除かれ、正確なWBC分類結果が得られる。
実施例10
損傷リンパ球を含んだ臨床サンプル（CLL）を実施例８で記述したように分析し、結果を図20Aから20Fに示す。最上段のサイトグラム（ALL対IAS），図20Aのリンパ球群の右下すぐ近傍に位置するクラスターは損傷リンパ球に属する。図20C（ALL対FL3+）は、リンパ球群のほとんど1／2が核酸染料（PI）で染色されたことを示す。サンプルの顕微鏡による塗沫検査ではリンパ球群の約50％がよごれ細胞あるいは細胞膜を失った細胞（裸核リンパ球）であることが示された。損傷リンパ球はその光散乱シグナルが裸のNRBCの核のシグナルよりも高いことからALL軸方向に沿ってNRBCから識別される。
実施例１１
冷蔵条件下で35時間保存し、老化した正常な血液サンプルを実施例８に記述したように分析し、結果を図21Aから21Fに示す。サンプルは実施例８に記述したように処理した。ALL対FL3サイトグラム、図19Fにおいて顆粒球とリンパ球の右に示されたFL3+シグナルはそれぞれ損傷顆粒球およびリンパ球を示す。
実施例12
強く固定されたヒトWBCおよび血小板をヒト赤血球フラクションと混和し、ヒト血漿中に再懸濁することで、処理したサンプルを作製した。この混和物は実施例８のように分析し、結果を図22Aから22Fに示す。本明細書で開示された多目的試薬系によって保護されたWBCとは異なり、強く固定した細胞のALL対FL3サイトグラム、図22Cは全てのWBCが非常に濃く染色されていることを示している。交差結合試薬は細胞膜を非常に多孔性にし、核酸染料を細胞に浸透させる。WBCのサブポピュレーションは、1995年7月7日に出願された米国特許出願第08／283、379号明細書“自動分析実施のための方法および器機”において記載されている多次元光散乱分析により同定される。
実施例13
2種類の正常血液サンプルそれぞれ50μlを別々のテストチューブ中で抗CD3-FITCおよび抗CD4-PEを含んだ10μlのMab溶液と混和した。
二本の新たな別々のチューブ中で再び正常血液サンプルのアリコート50μlを抗CD3-FITCおよび抗CD8-PEを含んだ10μlのMab溶液と混和した。ネガティブコントロールはテストチューブにMab溶液を加えずに調製した。混液は室温で15分間保温し、それぞれのチューブに予め42℃に温めた核酸染料を含まない実施例１の多目的試薬1.7mlを加えた。サンプルをファックスキャン▲Ｒ▼器機（ベクトン、ディッキンソン社）に送り、多目的試薬を加えてから正確に11秒後にシグナル捕捉を始める。結果を図23Aから23Fおよび表1に示す。最上段のサイトグラム、図23AおよびBは正常血液のネガティブコントロールを示し、左のサイトグラム、図23Aはリンパ球にゲートをかけていることを示す前方散乱（FCS）対90°側方散乱を示し、右のサイトグラム、図23BはFL1対FL2の二次元ディスプレーを示し、中央のサイトグラム、図23CおよびDは抗CD4 Mabと反応させた同じサンプル、最下段のサイトグラム、図23EおよびFは抗CD８Mabと反応させた同じ血液を示す。
実施例14
2種類の正常血液サンプルの50μlを、抗CD3-FITCおよび抗CD4-PEを含む10μlのMab溶液とテストチューブの中で混和した。別のテストチューブで正常血液サンプル50μlを抗CD3-FITCおよび抗CD8-PEを含む10μlのMab溶液と混和した。ネガティブコントロールはMabを加えずに調製した。混液は室温で15分間保温し、予め42°に温めたPI（0.2μｇ／ml）を含む先に記述した多目的試薬1.7mlを加えた。サンプルをファックスキャン▲Ｒ▼器機（ベクトン、ディッキンソン社）に送り、多目的試薬を加えてから正確に11秒後にシグナル捕捉を始める。結果を図24Aから24Fおよび表1に示す。最上段のサイトグラム、図24AおよびBは正常血液のネガティブコントロールを示し、左のサイトグラム、図24Aはリンパ球にゲートをかけていることを示す前方散乱（FCS）対90°側方散乱を示し、右のサイトグラム、図24BはFL1対FL2の二次元ディスプレーを示し、中央のサイトグラム、図24CおよびDは抗CD4 Mabと反応させた同じサンプル、最下段のサイトグラム、図24EおよびFは抗CD８Mabと反応させた同じ血液を示す。
0004279900.tif 000003
【図１】
0004279900.tif 000004
【図２】
0004279900.tif 000005
【図１７】
0004279900.tif 000006
【図３Ａ】
0004279900.tif 000007
【図３Ｂ】
0004279900.tif 000008
【図３Ｃ】
0004279900.tif 000009
【図４Ａ】
0004279900.tif 000010
【図４Ｂ】
0004279900.tif 000011
【図４Ｃ】
0004279900.tif 000012
【図５Ａ】
0004279900.tif 000013
【図５Ｂ】
0004279900.tif 000014
【図５Ｃ】
0004279900.tif 000015
【図６Ａ】
0004279900.tif 000016
【図６Ｂ】
0004279900.tif 000017
【図６Ｃ】
0004279900.tif 000018
【図７Ａ】
0004279900.tif 000019
【図７Ｂ】
0004279900.tif 000020
【図７Ｃ】
0004279900.tif 000021
【図８Ａ】
0004279900.tif 000022
【図８Ｂ】
0004279900.tif 000023
【図８Ｃ】
0004279900.tif 000024
【図９Ａ】
0004279900.tif 000025
【図９Ｂ】
0004279900.tif 000026
【図９Ｃ】
0004279900.tif 000027
【図１０Ａ】
0004279900.tif 000028
【図１０Ｂ】
0004279900.tif 000029
【図１０Ｃ】
0004279900.tif 000030
【図１１Ａ】
0004279900.tif 000031
【図１１Ｂ】
0004279900.tif 000032
【図１１Ｃ】
0004279900.tif 000033
【図１２Ａ】
0004279900.tif 000034
【図１２Ｂ】
0004279900.tif 000035
【図１３Ａ】
0004279900.tif 000036
【図１３Ｂ】
0004279900.tif 000037
【図１４Ａ】
0004279900.tif 000038
【図１４Ｂ】
0004279900.tif 000039
【図１４Ｃ】
0004279900.tif 000040
【図１５Ａ】
0004279900.tif 000041
【図１５Ｂ】
0004279900.tif 000042
【図１６Ａ】
0004279900.tif 000043
【図１６Ｂ】
0004279900.tif 000044
【図１８Ａ】
0004279900.tif 000045
【図１８Ｂ】
0004279900.tif 000046
【図１８Ｃ】
0004279900.tif 000047
【図１８Ｄ】
0004279900.tif 000048
【図１８Ｅ】
0004279900.tif 000049
【図１８Ｆ】
0004279900.tif 000050
【図１９Ａ】
0004279900.tif 000051
【図１９Ｂ】
0004279900.tif 000052
【図１９Ｃ】
0004279900.tif 000053
【図１９Ｄ】
0004279900.tif 000054
【図１９Ｅ】
0004279900.tif 000055
【図１９Ｆ】
0004279900.tif 000056
【図２０Ａ】
0004279900.tif 000057
【図２０Ｂ】
0004279900.tif 000058
【図２０Ｃ】
0004279900.tif 000059
【図２０Ｄ】
0004279900.tif 000060
【図２０Ｅ】
0004279900.tif 000061
【図２０Ｆ】
0004279900.tif 000062
【図２１Ａ】
0004279900.tif 000063
【図２１Ｂ】
0004279900.tif 000064
【図２１Ｃ】
0004279900.tif 000065
【図２１Ｄ】
0004279900.tif 000066
【図２１Ｅ】
0004279900.tif 000067
【図２１Ｆ】
0004279900.tif 000068
【図２２Ａ】
0004279900.tif 000069
【図２２Ｂ】
0004279900.tif 000070
【図２２Ｃ】
0004279900.tif 000071
【図２２Ｄ】
0004279900.tif 000072
【図２２Ｅ】
0004279900.tif 000073
【図２２Ｆ】
0004279900.tif 000074
【図２３Ａ】
0004279900.tif 000075
【図２３Ｂ】
0004279900.tif 000076
【図２３Ｃ】
0004279900.tif 000077
【図２３Ｄ】
0004279900.tif 000078
【図２３Ｅ】
0004279900.tif 000079
【図２３Ｆ】
0004279900.tif 000080
【図２４Ａ】
0004279900.tif 000081
【図２４Ｂ】
0004279900.tif 000082
【図２４Ｃ】
0004279900.tif 000083
【図２４Ｄ】
0004279900.tif 000084
【図２４Ｅ】
0004279900.tif 000085
【図２４Ｆ】
0004279900.tif 000086